(57)【要約】【課題】ユーザから個人的な情報の提供を受けることなく、メディア提供サイトへのアクセス履歴によりこのユーザの属性に応じた広告等のメディアを配信する。【解決手段】ユーザの属性に対応したメディアを配信するメディア配信システムに、ユーザの端末装置がアクセスしたメディアの履歴を示すアクセス履歴情報を記憶する記憶手段と、ユーザの端末装置がユーザの属性を特定するメディアへアクセスしたときに、前記記憶手段へこのメディアへのアクセス履歴情報を書き込むユーザ情報管理手段と、前記ユーザの端末装置が他のメディアへアクセスしたときに、前記記憶手段から読み出した該ユーザのアクセス履歴情報内の前記メディアで特定される属性に対応したメディアを該端末装置へ出力する出力手段と、を備える。【選択図】      図１
2005070888.tif 000002
【特許請求の範囲】
【請求項１】
ユーザの属性に対応したメディアを配信するメディア配信システムであって、
ユーザの端末装置がアクセスしたメディアの履歴を示すアクセス履歴情報を記憶する記憶手段と、
ユーザの端末装置がユーザの属性を特定するメディアへアクセスしたときに、前記記憶手段へこのメディアへのアクセス履歴情報を書き込むユーザ情報管理手段と、
前記ユーザの端末装置が他のメディアへアクセスしたときに、前記記憶手段から読み出した該ユーザのアクセス履歴情報内の前記メディアで特定される属性に対応したメディアを該端末装置へ出力する出力手段と、
を備えることを特徴とするメディア配信システム。
【請求項２】
ユーザの端末装置へメディアを提供するサイト提供システムと、前記ユーザの属性に対応するメディアを出力するメディア配信装置とからなるメディア配信システムであって、
前記サイト提供システムは、
ユーザの端末装置からメディアの要求を受け、前記メディア配信装置へ該ユーザの属性に対応したメディアを要求する手段と、
前記ユーザから要求されたメディアと前記メディア配信装置から受信した該ユーザの属性に対応したメディアとを前記端末装置へ配信する手段とを備え、
前記メディア配信装置は、
ユーザの端末装置がアクセスしたメディアの履歴を示すアクセス履歴情報を記憶する記憶手段と、
前記サイト提供システムからメディアの要求を受け、このサイト提供システムの提供するメディアがユーザの属性を特定するメディアであった場合に、前記記憶手段へこのメディアへのアクセス履歴情報を書き込むユーザ情報管理手段と、
前記記憶手段から読み出した該ユーザのアクセス履歴情報内のメディアで特定される属性に対応したメディアを出力する出力手段とを備える、
ことを特徴とするメディア配信システム。
【請求項３】
ユーザの端末装置へメディアを提供するサイト提供システムと、前記ユーザの属性に対応するメディアを出力するメディア配信装置とからなるメディア配信システムに用いられるメディア配信装置であって、
ユーザの端末装置がアクセスしたメディアの履歴を示すアクセス履歴情報を記憶する記憶手段と、
前記サイト提供システムからメディアの要求を受け、このサイト提供システムの提供するメディアがユーザの属性を特定するメディアであった場合に、前記記憶手段へこのメディアへのアクセス履歴情報を書き込むユーザ情報管理手段と、
前記記憶手段から読み出した該ユーザのアクセス履歴情報内のメディアで特定される属性に対応したメディアを出力する出力手段と、
を備えることを特徴とするメディア配信装置。
【請求項４】
前記記憶手段は、さらに、前記サイト提供システムが提供するメディアの識別情報で示される配信条件を記憶し、
前記出力手段は、前記アクセス履歴情報を参照して前記記憶手段内の配信条件に合致するメディアを出力する、
ことを特徴とする請求項３に記載のメディア配信装置。
【請求項５】
前記出力手段は、さらに各メディアへのアクセス頻度に応じてメディアを選択し、出力する、
ことを特徴とする請求項３に記載のメディア配信装置。
【請求項６】
ユーザ情報管理手段は、メディアを要求した前記サイト提供システムの提供するメディアがユーザの属性を特定するメディアであった場合に、前記記憶手段へ該メディアで特定される属性を書き込み、
前記出力手段は、前記記憶手段から読み出した該ユーザの属性に対応したメディアを出力する、
ことを特徴とする請求項３から請求項５のいずれかの項に記載のメディア配信装置。
【請求項７】
ユーザの属性に対応したメディアを配信するメディア配信方法であって、
ユーザの端末装置がアクセスしたメディアの履歴を示すアクセス履歴情報を記憶する記憶手段を用意し、
ユーザの端末装置がユーザの属性を特定するメディアへアクセスしたときに、前記記憶手段へこのメディアへのアクセス履歴情報を書き込み、
前記ユーザの端末装置が他のメディアへアクセスしたときに、前記記憶手段から読み出した該ユーザのアクセス履歴情報内の前記メディアで特定される属性に対応したメディアを該端末装置へ出力する、
ことを特徴とするメディア配信方法。
【請求項８】
ユーザの端末装置へメディアを提供するサイト提供システムと、前記ユーザの属性に対応するメディアを出力するメディア配信装置とからなるメディア配信システムに用いられるメディア配信方法であって、
前記サイト提供システムが、
ユーザの端末装置からメディアの要求を受け、前記メディア配信装置へ該ユーザの属性に対応したメディアを要求し、
前記メディア配信装置が、
ユーザの端末装置がアクセスしたメディアの履歴を示すアクセス履歴情報を記憶する記憶手段を用意し、
前記サイト提供システムからメディアの要求を受け、このサイト提供システムの提供するメディアがユーザの属性を特定するメディアであった場合に、前記記憶手段へこのメディアへのアクセス履歴情報を書き込み、
前記記憶手段から読み出した該ユーザのアクセス履歴情報内のメディアで特定される属性に対応したメディアを出力し、
前記サイト提供システムが、
前記ユーザから要求されたメディアと前記メディア配信装置から受信した該ユーザの属性に対応したメディアとを前記端末装置へ配信する、
ことを特徴とするメディア配信システム。
【請求項９】
ユーザの端末装置へメディアを提供するサイト提供システムと、前記ユーザの属性に対応するメディアを出力するメディア配信装置とからなるメディア配信システムのメディア配信装置に用いられるメディア配信方法であって、
ユーザの端末装置がアクセスしたメディアの履歴を示すアクセス履歴情報を記憶する記憶手段を用意し、
前記サイト提供システムからメディアの要求を受け、このサイト提供システムの提供するメディアがユーザの属性を特定するメディアであった場合に、前記記憶手段へこのメディアへのアクセス履歴情報を書き込み、
前記記憶手段から読み出した該ユーザのアクセス履歴情報内のメディアで特定される属性に対応したメディアを出力する、
ことを特徴とするメディア配信方法。
【請求項１０】
ユーザの端末装置へメディアを提供するサイト提供システムと、前記ユーザの属性に対応するメディアを出力するメディア配信装置とからなるメディア配信システムに用いられるメディア配信装置のコンピュータプログラムであって、
前記サイト提供システムからメディアの要求を受け、このサイト提供システムの提供するメディアがユーザの属性を特定するメディアであった場合に、ユーザの端末装置がアクセスしたメディアの履歴を示すアクセス履歴情報を記憶する記憶手段へこのメディアへのアクセス履歴情報を書き込むステップと、
前記記憶手段から読み出した該ユーザのアクセス履歴情報内のメディアで特定される属性に対応したメディアを出力するステップと、
をコンピュータに実行させることを特徴とするコンピュータプログラム。
【発明の詳細な説明】
【０００１】
【発明の属する技術分野】
この発明は、メディア配信システム及び方法、メディア配信装置、ならびに、コンピュータプログラムに関する。
【０００２】
【従来の技術】
近年、インターネットの普及に伴い、広告主や広告配信業者は、各ユーザの性別や嗜好などの属性に適した嗜好性の高い広告を配信することにより広告効果を高める工夫をしている。例えば、特許文献１においては、ユーザ端末からコンテンツ配信要求を受け付け、該ユーザのユーザ情報に応じて付加すべき広告データをデータベースから読み出すことにより、コンテンツ配信に際して適切な広告情報を付加する技術が記載されている。
【０００３】
【特許文献１】
特開２００２−２０３１１９号公報
【０００４】
【発明が解決しようとする課題】
従来、配信すべき広告情報を決定するために使用されるユーザ情報（ユーザ属性）は、メディア（コンテンツ）を提供する各企業が用紙あるいはオンラインによるアンケートを行うなどして収集し、データベースに登録していた。これは、ユーザにとってあるいは企業にとって煩雑な作業であった。また、ユーザ情報には個人情報が含まれており、ユーザが登録を躊躇することも多く、企業にとっては、自身がユーザ情報を管理しているユーザにのみ属性に対応した広告を配信する方法では、より多くのユーザに効果的な公告を配信することは困難であった。
【０００５】
この発明は、このような事情を考慮してなされたもので、その目的は、ユーザから個人的な情報の提供を受けることなく、ユーザの属性を推定することが可能なニッチな（専門的な）サイトにアクセスした履歴により、ユーザの属性に応じた広告等のメディアを配信することのできるメディア配信システム及び方法、メディア配信装置、ならびに、コンピュータプログラムを提供することにある。
【０００６】
【課題を解決するための手段】
この発明は、上記の課題を解決すべくなされたもので、請求項１に記載の発明は、ユーザの属性に対応したメディアを配信するメディア配信システムであって、ユーザの端末装置がアクセスしたメディアの履歴を示すアクセス履歴情報を記憶する記憶手段と、ユーザの端末装置がユーザの属性を特定するメディアへアクセスしたときに、前記記憶手段へこのメディアへのアクセス履歴情報を書き込むユーザ情報管理手段と、前記ユーザの端末装置が他のメディアへアクセスしたときに、前記記憶手段から読み出した該ユーザのアクセス履歴情報内の前記メディアで特定される属性に対応したメディアを該端末装置へ出力する出力手段と、を備えることを特徴とするメディア配信システムである。
【０００７】
請求項２に記載の発明は、ユーザの端末装置へメディアを提供するサイト提供システムと、前記ユーザの属性に対応するメディアを出力するメディア配信装置とからなるメディア配信システムであって、前記サイト提供システムは、ユーザの端末装置からメディアの要求を受け、前記メディア配信装置へ該ユーザの属性に対応したメディアを要求する手段と、前記ユーザから要求されたメディアと前記メディア配信装置から受信した該ユーザの属性に対応したメディアとを前記端末装置へ配信する手段とを備え、前記メディア配信装置は、ユーザの端末装置がアクセスしたメディアの履歴を示すアクセス履歴情報を記憶する記憶手段と、前記サイト提供システムからメディアの要求を受け、このサイト提供システムの提供するメディアがユーザの属性を特定するメディアであった場合に、前記記憶手段へこのメディアへのアクセス履歴情報を書き込むユーザ情報管理手段と、前記記憶手段から読み出した該ユーザのアクセス履歴情報内のメディアで特定される属性に対応したメディアを出力する出力手段とを備える、ことを特徴とするメディア配信システムである。
【０００８】
請求項３に記載の発明は、ユーザの端末装置へメディアを提供するサイト提供システムと、前記ユーザの属性に対応するメディアを出力するメディア配信装置とからなるメディア配信システムに用いられるメディア配信装置であって、ユーザの端末装置がアクセスしたメディアの履歴を示すアクセス履歴情報を記憶する記憶手段と、前記サイト提供システムからメディアの要求を受け、このサイト提供システムの提供するメディアがユーザの属性を特定するメディアであった場合に、前記記憶手段へこのメディアへのアクセス履歴情報を書き込むユーザ情報管理手段と、前記記憶手段から読み出した該ユーザのアクセス履歴情報内のメディアで特定される属性に対応したメディアを出力する出力手段と、を備えることを特徴とするメディア配信装置である。
【０００９】
請求項４に記載の発明は、請求項３に記載のメディア配信装置であって、前記記憶手段は、さらに、前記サイト提供システムが提供するメディアの識別情報で示される配信条件を記憶し、前記出力手段は、前記アクセス履歴情報を参照して前記記憶手段内の配信条件に合致するメディアを出力する、ことを特徴とする。
【００１０】
請求項５に記載の発明は、請求項３に記載のメディア配信装置であって、前記出力手段は、さらに各メディアへのアクセス頻度に応じてメディアを選択し、出力する、ことを特徴とする。
【００１１】
請求項６に記載の発明は、請求項３から請求項５のいずれかの項に記載のメディア配信装置であって、ユーザ情報管理手段は、メディアを要求した前記サイト提供システムの提供するメディアがユーザの属性を特定するメディアであった場合に、前記記憶手段へ該メディアで特定される属性を書き込み、前記出力手段は、前記記憶手段から読み出した該ユーザの属性に対応したメディアを出力する、ことを特徴とする。
【００１２】
請求項７に記載の発明は、ユーザの属性に対応したメディアを配信するメディア配信方法であって、ユーザの端末装置がアクセスしたメディアの履歴を示すアクセス履歴情報を記憶する記憶手段を用意し、ユーザの端末装置がユーザの属性を特定するメディアへアクセスしたときに、前記記憶手段へこのメディアへのアクセス履歴情報を書き込み、前記ユーザの端末装置が他のメディアへアクセスしたときに、前記記憶手段から読み出した該ユーザのアクセス履歴情報内の前記メディアで特定される属性に対応したメディアを該端末装置へ出力する、ことを特徴とするメディア配信方法である。
【００１３】
請求項８に記載の発明は、ユーザの端末装置へメディアを提供するサイト提供システムと、前記ユーザの属性に対応するメディアを出力するメディア配信装置とからなるメディア配信システムに用いられるメディア配信方法であって、前記サイト提供システムが、ユーザの端末装置からメディアの要求を受け、前記メディア配信装置へ該ユーザの属性に対応したメディアを要求し、前記メディア配信装置が、ユーザの端末装置がアクセスしたメディアの履歴を示すアクセス履歴情報を記憶する記憶手段を用意し、前記サイト提供システムからメディアの要求を受け、このサイト提供システムの提供するメディアがユーザの属性を特定するメディアであった場合に、前記記憶手段へこのメディアへのアクセス履歴情報を書き込み、前記記憶手段から読み出した該ユーザのアクセス履歴情報内のメディアで特定される属性に対応したメディアを出力し、前記サイト提供システムが、前記ユーザから要求されたメディアと前記メディア配信装置から受信した該ユーザの属性に対応したメディアとを前記端末装置へ配信する、ことを特徴とするメディア配信システムである。
【００１４】
請求項９に記載の発明は、ユーザの端末装置へメディアを提供するサイト提供システムと、前記ユーザの属性に対応するメディアを出力するメディア配信装置とからなるメディア配信システムのメディア配信装置に用いられるメディア配信方法であって、ユーザの端末装置がアクセスしたメディアの履歴を示すアクセス履歴情報を記憶する記憶手段を用意し、前記サイト提供システムからメディアの要求を受け、このサイト提供システムの提供するメディアがユーザの属性を特定するメディアであった場合に、前記記憶手段へこのメディアへのアクセス履歴情報を書き込み、前記記憶手段から読み出した該ユーザのアクセス履歴情報内のメディアで特定される属性に対応したメディアを出力する、ことを特徴とするメディア配信方法である。
【００１５】
請求項１０に記載の発明は、ユーザの端末装置へメディアを提供するサイト提供システムと、前記ユーザの属性に対応するメディアを出力するメディア配信装置とからなるメディア配信システムに用いられるメディア配信装置のコンピュータプログラムであって、前記サイト提供システムからメディアの要求を受け、このサイト提供システムの提供するメディアがユーザの属性を特定するメディアであった場合に、ユーザの端末装置がアクセスしたメディアの履歴を示すアクセス履歴情報を記憶する記憶手段へこのメディアへのアクセス履歴情報を書き込むステップと、前記記憶手段から読み出した該ユーザのアクセス履歴情報内のメディアで特定される属性に対応したメディアを出力するステップと、をコンピュータに実行させることを特徴とするコンピュータプログラムである。
【００１６】
【発明の実施の形態】
以下、図面を参照し、この発明の実施の形態について説明する。
図１は、この発明の一実施の形態によるメディア配信システムの動作概要を示す図である。
ユーザ１０は、自身の保有する端末装置１１からアフィリエイトであるＩＳＰ（インターネットサービスプロバイダ）や一般企業などが提供するメディアのサイトのうち、専門性の高いメディアにアクセスする。専門性の高いメディアとは、ユーザ１０の特徴を示す属性を推定することのできるメディアである。例えば、ある地域の天気予報を表示するホームページは、ユーザ１０の地域の属性を推定できるメディアである。また、あるジャンルの映画や音楽、書籍の情報を提供するホームページは趣味の属性を、食品や衣料品などの情報を提供するホームページは嗜好の属性を、Ｑ＆Ａなどのホームページからは悩みや興味を示す属性を推定することができる。
【００１７】
ここでは、ユーザ１０の端末装置１１からメディアＡのサイト２０ａが提供する専門性の高いメディア、「Ｙ県Ｚ市の天気」の情報を提供するホームページへのアクセスがあったとする（ステップＳ１）。メディア配信サーバ３０（メディア配信装置）は、自身の管理するアクセス履歴情報へメディアＡのサイト２０ａへのアクセスがあった旨を登録する（ステップＳ２）。
次に、ユーザ１０の端末装置１１からメディアＢのサイト２０ｂが提供する専門性の低いメディア、「全国のニュース」を提供するホームページへのアクセスがあったとする（ステップＳ３）。メディアＢのサイト２０ｂは、メディア配信サーバ３０から、過去にユーザ１０がアクセスした専門性の高いメディアから推定される属性「地域：Ｙ県Ｚ市」に関するメディア、例えば、Ｙ県Ｚ市で開催されるイベントに関する公告の画像情報の配信を受ける（ステップＳ４）。そして、自身の提供するコンテンツ（メディア）「全国のニュース」にこの公告の画像情報を組み込んだ画面情報を端末装置１１へ返送し、表示させる。
【００１８】
図２は、同実施の形態によるメディア配信システムの構成を示すブロック図である。
端末装置１１は、ユーザ１０が保有する例えばパーソナルコンピュータやインターネット接続可能な携帯端末であり、公衆電話網、携帯電話網、インターネット網、私設網などから構成されるネットワーク４０と接続される。そして、メディアＡ〜Ｎ（以下、単に「メディア」と記載）のサイト２０ａ〜２０ｎ（以下、単に「サイト２０」と記載）から提供される画面情報をディスプレイに表示したり、マウスやキーボードなどにより画面情報に入力されたデータをサイト２０へ送信するためのブラウザ等を備える。
【００１９】
ＩＳＰ（インターネットサービスプロバイダ）や一般企業などのメディアのサイト２０ａ〜２０ｎは、それぞれウェブサーバ２１ａ〜２１ｎ（以下、「ウェブサーバ２１」と記載）で提供される。
ウェブサーバ２１（サイト提供システム）は、ネットワーク４０を介して端末装置１１及びメディア配信サーバ３０と接続される。そして、ネットワーク４０を介してアクセスしてきた端末装置１１へホームページなどの各種コンテンツ（メディア）を表示するための画面情報を提供する。この画面情報には、メディア配信サーバ３０から提供される画像情報が含まれる。例えば、コンテンツを表示するための画面情報は、ＨＴＭＬ（ｈｙｐｅｒｔｅｘｔ  ｍａｒｋｕｐ  ｌａｎｇｕａｇｅ）やＸＭＬ（ｅｘｔｅｎｓｉｂｌｅ  ｍａｒｋｕｐ  ｌａｎｇｕａｇｅ）などで記述される。また、メディア配信サーバ３０から提供される画像情報は、バナー広告等を表示するためのフラッシュ画像、ＧＩＦアニメーション画像などである。
【００２０】
アフィリエイトサービスプロバイダなどの広告業者が保有するメディア配信サーバ３０は、制御手段３１、通信手段３２、データベース３３、ユーザ情報管理手段３４、及び、出力手段３５を備える。
データベース３３（記憶手段）は、メディア属性情報、ユーザ情報及びメディア配信情報を記憶する。
メディア属性情報は、専門性の高いメディアの識別情報と、このメディアから特定される属性の情報からなる。
ユーザ情報は、ユーザ１０の識別情報（ユーザＩＤ）、アクセス履歴情報、及び、属性の情報からなる。アクセス履歴情報は、ユーザ１０がアクセスした専門性の高いメディアの識別情報（ＵＲＬなど）、及び、アクセスした日時の情報からなる。
メディア配信情報は、広告やお知らせ、プレゼントの応募などのコンテンツ（メディア）を表示するための画像情報と、この画像情報を配信する配信条件とからなる。配信条件は、ユーザ１０が過去にアクセスした専門性の高いメディアの識別情報（あるいは属性の情報）で示される。なお、配信条件は、複数の専門性の高いメディアの識別情報（あるいは属性の情報）の組み合わせであってもよいし、さらに時刻やアクセス元のメディアなど他の情報、アクセス回数を条件として加えたものであってもよい。また、１つの配信条件と複数の画像情報とを対応させ、所定の割合や優先度に従い画像情報を選択することでもよい。
【００２１】
制御手段３１は、ＣＰＵ（ｃｅｎｔｒａｌ  ｐｒｏｃｅｓｓｉｎｇ  ｕｎｉｔ）及び各種メモリから構成され、各部の制御や、データの一時的な格納や、データの転送等を行う。
通信手段３２は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を備え、専用線やブロードバンド回線などによりネットワーク４０と接続され、端末装置１１、及び、ウェブサーバ２１とのデータの送受信を行う。
ユーザ情報管理手段３４は、ユーザ１０のユーザ情報をデータベース３３へ蓄積する機能を有する。
出力手段３５は、ユーザ１０のユーザ情報（アクセス履歴情報あるいは属性の情報）に応じた画像情報をデータベース３３内のメディア配信情報から読出し、ウェブサーバ２１へ返送する機能を有する。
【００２２】
図３は、メディア配信サーバ３０の動作フローを示す図である。
まず、ユーザ１０が端末装置１１から専門性の高いメディアＡのホームページにアクセスしたとする。具体的には、ユーザ１０が端末装置１１の表示するブラウザでメディアＡのホームページのＵＲＬ（Ｕｎｉｖｅｒｓａｌ  Ｒｅｓｏｕｒｃｅ  Ｌｏｃａｔｏｒ）を指定することなどにより、ウェブサーバ２１ａへコンテンツが要求される。ここでは、これがユーザ１０からメディアＡ〜Ｎのサイト２０への初回のアクセスであるとする。
ウェブサーバ２１ａは、メディアＡのホームページへのアクセスを受けると、要求されたコンテンツを表示する画面情報を生成するため、メディアの識別情報をメディア配信サーバ３０へ通知し、画面情報に埋め込む公告などの画像情報（あるいは、ポップアップのように同時に表示させるべき画面情報）を要求する。
【００２３】
メディア配信サーバ３０のユーザ情報管理手段３４は、ウェブサーバ２１ａからメディアＡの識別情報を受信し、画像情報の要求があったことを認識する。すると、ユーザ情報管理手段３４は、端末装置１１内のクッキー（Ｃｏｏｋｉｅ）を読み出し、この端末装置１１からメディアＡ〜Ｎのサイト２０が提供するメディアへの初回のアクセスであるか否かを判断する（ステップＳ１１０）。Ｃｏｏｋｉｅが存在しない場合は、初回のアクセスであると判断してユーザＩＤを生成し、端末装置１１へこのユーザＩＤが設定されたＣｏｏｋｉｅを記憶させる（ステップＳ１２０）。
なお、Ｃｏｏｋｉｅとは、サイトの提供者が、ブラウザを通じてユーザの端末装置に一時的にデータを書き込んで保存させる仕組みを提供する技術であり、ユーザに関する情報や最後にサイトを訪れた日時、そのサイトの訪問回数などを記録しておくことができる。
【００２４】
次に、ユーザ情報管理手段３４は、メディアＡが専門性の高いメディアであるか否かを判断する（ステップＳ１３０）。すなわち、ウェブサーバ２１ａから受信したメディアＡの識別情報でメディア属性情報を検索し、対応するメディア属性情報が存在した場合、専門性の高いメディアであると判断する。そして、メディアＡの識別情報及びアクセスがあった日時の情報からなるアクセス履歴情報と、メディアＡの識別情報に対応するメディア属性情報内の属性の情報とを、ステップＳ１２０において割り当てたユーザＩＤに対応させてデータベース３３内のユーザ情報に書き込む（ステップＳ１４０）。
【００２５】
続いて、出力手段３５は、このユーザ１０のユーザ情報をデータベース３３から読出す。そして、ユーザ情報内のアクセス履歴情報で示されるメディアＡの識別情報（あるいは属性の情報）に合致する配信条件に対応する公告の画像情報（メディア）をデータベース３３内のメディア配信情報から読み出し、ウェブサーバ２１ａへ返送する（ステップＳ１５０）。
ウェブサーバ２１ａは、ユーザ１０から要求されたコンテンツに、メディア配信サーバ３０から受信した公告の画像情報を埋め込んだ画面情報を生成して、端末装置１１へ返送する。端末装置１１のブラウザは、メディアＡのサイト２０ａから受信した画面情報に従いコンテンツ及び広告の画像を表示する。
【００２６】
次に、ユーザ１０が端末装置１１から専門性の低いメディアＢのホームページにアクセスしたとする。ウェブサーバ２１ｂはコンテンツの要求を受けると、要求されたコンテンツを表示する画面情報を生成するため、この画面情報に埋め込む公告などの画像情報をメディア配信サーバ３０に要求する。
【００２７】
メディア配信サーバ３０のユーザ情報管理手段３４は、ウェブサーバ２１ｂからメディアＢの識別情報を受信し、端末装置１１から画像情報の要求があったことを認識する。すると、ユーザ情報管理手段３４は、端末装置１１内のＣｏｏｋｉｅを読み出して、ユーザＩＤを得ることにより、この端末装置１１からメディアＡ〜Ｎのサイト２０が提供するメディアへの初回のアクセスではないと判断する（ステップＳ１１０Ｎｏ）。
【００２８】
次に、ユーザ情報管理手段３４は、メディアＢが専門性の高いメディアであるか否かを判断する（ステップＳ１３０）。すなわち、ウェブサーバ２１ｂから受信したメディアＢの識別情報でメディア属性情報を検索し、対応するメディア属性情報が存在しない場合、専門性の低いメディアからのアクセスであると判断する。続いて、出力手段３５は、取得したユーザＩＤによりデータベース３３内のユーザ情報を読み出す。そして、読み出したユーザ情報内のアクセス履歴情報で示されるメディアＡの識別情報（あるいは属性の情報）に合致する配信条件に対応した公告の画像情報（メディア）をデータベース３３内のメディア配信情報から読み出し、ウェブサーバ２１ｂへ返送する（ステップＳ１５０）。
ウェブサーバ２１ｂは、メディア配信サーバ３０から受信した公告の画像情報を埋め込んだコンテンツを表示するための画面情報を生成して、端末装置１１へ返送する。端末装置１１のブラウザは、メディアＢのサイト２０ｂから受信した画面情報に従いコンテンツ及び広告の画像を表示する。
【００２９】
なお、ユーザ１０が複数の専門性の高いメディアにアクセスした後、メディア配信サーバ３０がステップＳ１５０において画像情報を選択するときには、最もアクセス回数が多いメディアに対応した画像情報（メディア）を選択する。例えば、ユーザ１０がこれまでに専門性の高いメディアとして釣りに関するメディア及び料理に関するメディアにアクセスしており、釣りに関するメディアへのアクセス回数の方が料理に関するメディアへのアクセス回数より多い場合、釣りに関する公告等の画像情報（メディア）を選択する。
【００３０】
上述する実施の形態によれば、ユーザ１０が端末装置１１からどのメディアにアクセスしても、ユーザ１０のアクセス履歴情報に記録されている過去にアクセスした専門性の高いメディアから特定される属性に対応した公告などのメディアが出力される。
【００３１】
なお、上記の実施の形態において、ユーザＩＤを端末装置１１内のＣｏｏｋｉｅから取得しているが、ユーザ１０が端末装置１１から各メディアのサイト２０にアクセスしたときに、端末装置１１へユーザＩＤの入力を促すユーザＩＤ入力画面をブラウザに表示させることにより、ユーザ１０が入力したユーザＩＤを取得することでもよい。
【００３２】
なお、上述の端末装置１１、ウェブサーバ２１、及び、メディア配信サーバ３０は、内部にコンピュータシステムを有している。そして、上述した動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００３３】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３５】
【発明の効果】
この発明によれば、ユーザから個人情報の提供を受けることなく、また、ユーザのアクセス履歴などの情報を各メディアのサイトの運営者へは隠避しながら、ユーザが専門性の高いメディアへアクセスしたことにより特定される属性に従った広告を配信することができる。これにより、個人情報を保護しながらも、効果の高い広告を配信することができる。
【図面の簡単な説明】
【図１】この発明の一実施の形態によるメディア配信システムの動作概要を示すブロック図である。
【図２】同実施の形態によるメディア配信システムの構成を示すブロック図である。
【図３】同実施の形態によるメディア配信サーバの動作フローを示す図である。
【符号の説明】
１０…ユーザ
１１…端末装置
２０ａ、２０ｂ、２０ｎ…サイト
２１ａ、２１ｂ、２１ｎ…ウェブサーバ（サイト提供システム）
３０…メディア配信サーバ（メディア配信装置）
３１…制御手段
３２…通信手段
３３…データベース
３４…ユーザ情報管理手段
３５…出力手段
【図１】
2005070888.tif 000003
【図２】
2005070888.tif 000004
【図３】
2005070888.tif 000005